(57)【要約】【課題】液晶表示装置でコンテンツを再生するに際し、回路規模を小さくし、コスト及び消費電流を低減させ、動画応答性のよい高品位映像再生を可能とするコンテンツ変換装置、映像再生装置及びコンテンツ変換方法を提供するものである。【解決手段】コンテンツ変換装置１は、演算処理部３にて現フレームの１つ前のフレームを格納しているフレームメモリ４及びＬＵＴ等を格納している格納部５を参照することにより、現フレーム及び前フレームの変化量の差からＯＳ（オーバーシュート）処理を行なって新たなフレームを生成し、該新たなフレームをエンコード部６に出力してエンコードを行ない、ＯＳ処理の必要のない変換コンテンツを映像再生装置１２に提供する。【選択図】図１
2008209607.tif 000002
【特許請求の範囲】
【請求項１】
映像データの圧縮フォーマットに従って復号を行なうデコード部と、
前記デコード部からの出力データをフレーム毎に順次一時保存し、処理を行なう現フレームの前フレームを格納するフレームメモリと、
映像再生装置の液晶表示部の応答特性を導くための情報を格納した記憶部と、
前記フレームメモリ及び前記記憶部を参照して前記現フレームと前記前フレームとの変化量により新たなフレームを変換生成する演算処理部と、
前記新たなフレームを符号化して変換コンテンツを生成するエンコード部と、
前記変換コンテンツを前記映像再生装置に送信するデータ送受信部とを備えたことを特徴とするコンテンツ変換装置。
【請求項２】
前記記憶部に格納されている応答特性情報は、前記現フレームと前記前フレームとの透過率の差による駆動用データの表であることを特徴とする請求項１に記載のコンテンツ変換装置。
【請求項３】
前記応答特性情報は、前記映像再生装置又は他の端末装置から受信することを特徴とする請求項２に記載のコンテンツ変換装置。
【請求項４】
前記映像再生装置からは、該映像再生装置又は前記液晶表示部の識別番号を受信し、該識別番号より他の端末装置から前記応答特性情報を取得することを特徴とする請求項２に記載のコンテンツ変換装置。
【請求項５】
前記演算処理部は、前記現フレームが先頭フレーム又は基準フレームであった場合には、比較用フレームを前記フレームメモリに格納するとともに前記エンコード部に出力することを特徴とする請求項１から請求項４のいずれか１つに記載のコンテンツ変換装置。
【請求項６】
前記比較用フレームの色は、全表示色範囲の低輝度側の１０％以内であり、前記演算処理部は、該比較用フレームの色からの変移を演算して前記新たなフレームを変換生成することを特徴とする請求項５に記載のコンテンツ変換装置。
【請求項７】
前記演算処理部は、前記現フレームが先頭フレーム又は基準フレームであった場合には、該フレームを変換することなく前記フレームメモリに格納するとともに前記エンコード部に出力することを特徴とする請求項１から請求項４のいずれか１つに記載のコンテンツ変換装置。
【請求項８】
前記演算処理部は、前記現フレームと前記前フレームとの透過率の差が設定値より大きい場合には、比較用フレーム又は変換しない状態のフレームをフレームメモリに格納するとともに前記エンコード部に出力することを特徴とする請求項５から請求項７までのいずれか１つに記載のコンテンツ変換装置。
【請求項９】
コンテンツ変換装置より変換コンテンツを受信するデータ送受信部と、
前記変換コンテンツをデコードするデコード部と、
前記デコード部からの出力を得て液晶表示部を駆動する駆動部と、
これらの制御を行う主制御部とを備えたことを特徴とする映像再生装置。
【請求項１０】
前記液晶表示部の応答特性情報又は当該映像再生装置若しくは前記液晶表示部の識別番号を格納する特性情報記憶部を備え、
前記主制御部は、前記特性情報記憶部から前記応答特性情報又は前記識別番号を前記コンテンツ変換装置に送信することを特徴とする請求項９に記載の映像再生装置。
【請求項１１】
前記駆動部は、再生を行うフレームの先頭のみ比較用フレーム又は変換前フレームの再生を行ない、その後の前記比較用フレーム又は前記変換前フレームの再生を行わないことを特徴とする請求項９又は請求項１０に記載の映像再生装置。
【請求項１２】
前記駆動部は、再生を行う比較用フレーム又は変換前フレームを複数フレーム期間連続して表示させた後、後続のフレームを再生することを特徴とする請求項９から請求項１１のいずれか１つに記載の映像再生装置。
【請求項１３】
前記主制御部は、前記変換コンテンツの再生が途中からの場合、変換コンテンツ中の比較用フレーム又は変換前フレームから再生を行なうよう前記駆動部を制御することを特徴とする請求項９から請求項１２のいずれか１つに記載の映像再生装置。
【請求項１４】
前記主制御部は、前記変換コンテンツの処理を行う現フレームが先頭フレーム又は基準フレームであれば、比較用フレーム又はコンテンツ変換前のフレームを再生するよう前記駆動部を制御することを特徴とする請求項９に記載の映像再生装置。
【請求項１５】
ネットワークを介して、コンテンツ変換装置が、映像再生装置に、変換コンテンツを提供するコンテンツ変換方法であって、
前記コンテンツ変換装置が、
映像データの圧縮フォーマットに従ってデコードを行なうステップと、
デコードを行なったデータの現フレームとその前フレームとの透過率の差により新たなフレームを変換生成するステップと、
前記新たなフレームのエンコードを行ない、変換コンテンツを生成するステップと、
前記変換コンテンツを前記映像再生装置に送信するステップと、
前記映像再生装置が、
前記変換コンテンツを受信するステップと、
前記変換コンテンツに従い、再生を行うステップとを備えたことを特徴とするコンテンツ変換方法。
【請求項１６】
前記コンテンツ変換装置が、前記新たなフレームを変換生成する際に、前記現フレームが先頭フレーム又は基準フレームであった場合には、比較用フレームを次フレームの比較処理のため一時的にメモリに格納するとともに、エンコードのため出力することを特徴とする請求項１５に記載のコンテンツ変換方法。
【請求項１７】
前記コンテンツ変換装置が、前記新たなフレームを変換生成する際に、前記現フレームが先頭フレーム又は基準フレームであった場合には、該フレームを変換しないで次フレームの比較処理のため一時的にメモリに格納するとともに、エンコードのため出力することを特徴とする請求項１５に記載のコンテンツ変換方法。
【請求項１８】
前記コンテンツ変換装置が、前記新たなフレームを変換生成する際に、前記現フレームと前記前フレームとの透過率の差が設定値より大きい場合には、比較用フレーム又は変換しない状態のフレームを次フレームの比較処理のため一時的にメモリに格納するとともに、エンコードのため出力することを特徴とする請求項１５から請求項１７のいずれか１つに記載のコンテンツ変換方法。
【請求項１９】
前記映像再生装置が、前記変換コンテンツを再生する際に、フレームの先頭のみ比較用フレーム又は変換前フレームの再生を行ない、その後の前記比較用フレーム又は前記変換前フレームの再生を行わないことを特徴とする請求項１６から請求項１８のいずれか１つに記載のコンテンツ変換方法。
【請求項２０】
前記映像再生装置が、前記変換コンテンツを再生する際に、再生を行う比較用フレーム又は変換前フレームを複数フレーム期間連続して表示させた後、後続のフレームを再生することを特徴とする請求項１６から請求項１９のいずれか１つに記載のコンテンツ変換方法。
【請求項２１】
前記映像再生装置が、前記変換コンテンツを途中から再生する際に、前記変換コンテンツ中の比較用フレーム又は変換前フレームから再生を行なうことを特徴とする請求項１６から請求項２０のいずれか１つに記載のコンテンツ変換方法。
【請求項２２】
前記映像再生装置が、前記変換コンテンツを再生する際に、前記変換コンテンツの処理を行う現フレームが先頭フレーム又は基準フレームであれば、比較用フレーム又はコンテンツ変換前のフレームを再生することを特徴とする請求項１５に記載のコンテンツ変換方法。
【発明の詳細な説明】
【技術分野】
【０００１】
本発明は、液晶表示装置においてコンテンツを再生するためのコンテンツ変換の技術に関する。
【背景技術】
【０００２】
近年、カソード・レイ・チューブ（Ｃａｔｈｏｄｅ  Ｒａｙ  Ｔｕｂｅ、以下、「ＣＲＴ」という）に代って、液晶表示装置（Ｌｉｑｕｉｄ  Ｃｒｙｓｔａｌ  Ｄｉｓｐｌａｙ、以下、「ＬＣＤ」という）、プラズマ・ディスプレイ・パネル（Ｐｌａｓｍａ  Ｄｉｓｐｌａｙ  Ｐａｎｅｌ、以下、「ＰＤＰ」という）等の薄型平面ディスプレイが、テレビ受像機に代表される映像表示装置のディスプレイとして利用されている。特に、前記薄型平面ディスプレイの中でＬＣＤは小型化が可能であることから、携帯情報端末等のディスプレイとしても広く普及しているが、ＬＣＤは液晶の粘性のために遷移に時間がかかり、動画再生時の応答に課題があるといわれている。
【０００３】
これを改善する多くの技術が提案され実装されている。その基本となる技術が、前後の画像の変化量に応じてピクセルごとの制御電圧を適応的に変化させるオーバーシュート（Ｏｖｅｒｓｈｏｏｔ、以下、「ＯＳ」という）駆動技術であり、ＬＣＤの動画応答性は、現在では極めて高くなってきている（例えば、特許文献１参照）。
【０００４】
図１６は、ＯＳ駆動による液晶応答速度の改善について概念図として示したものである。図１６（ａ）がＯＳ駆動なし、図１６（ｂ）がＯＳ駆動ありの状態を表しており、さらに各々の左側が駆動電圧、右側にそのときのＬＣＤの応答特性を示している。例えば、ＬＣＤの透過率を１０％から６０％に変更する場合、ＯＳ駆動なしで階調と駆動電圧が１対１で駆動電圧を制御すると４フレーム後に６０％の透過率になる。これに対し、ＯＳ駆動によって１フレーム期間後が６０％の透過率となる電圧で駆動し、次のフレームから６０％の透過率に対応した駆動電圧に切り替えることで、１フレーム内で遷移を終了することが出来る。よって、６０％の透過率にするにも前の透過率との相対的な変化量によって、前記１フレーム目の駆動電圧は異なってくることになる。
【０００５】
しかし、現フレームの入力画像データと前フレームの駆動後の状態データとから演算を行なう駆動用データ生成回路は、複雑となり、液晶表示装置のコストアップを招くことになる。このため、この前の透過率との相対的な差による駆動用データを表にしたものがルックアップテーブル（Ｌｏｏｋ  Ｕｐ  Ｔａｂｌｅ、以下、「ＬＵＴ」という）と呼ばれ、液晶表示装置内に格納され利用する技術も特許文献１に開示されている。
【０００６】
一例として、２５６階調を表示可能なＬＣＤのＬＵＴを図１７に示す。このＬＵＴには、ｎフレーム目の階調と（ｎ＋１）フレーム目の階調の交点に、次のフレームで駆動すべき電圧に対応した値が書き込まれる。この例では、２５６階調に対して２５６の分解能の駆動データを対応させている。ｎフレーム目の「５０」を（ｎ＋１）フレーム目で「１６０」に変更する場合は、次の１フレームは駆動データを「２２０」とし、その後のフレームも階調が「１６０」のままであれば「１６０」と「１６０」の交点ということで「１６０」で駆動されることになる。一方、階調が「２５５」から「１６０」のときには電圧は「１００」で駆動することになる。このように液晶を駆動することで、応答速度の改善を行っている。
【０００７】
また、コストダウンするために、このような変換テーブルを格納するメモリの容量を少なくする技術が開示されている（例えば、特許文献２参照）。
【０００８】
特許文献２では、変換テーブルの容量を小さくするために、現フレーム画像データの上位ビットと前フレーム画像データの上位ビットの組合せに対応して、表示用駆動データまたはその補正を格納する。このことに伴い、駆動用データまたはその補正値の精度が低くなるので、補間回路を設け、補間演算により精度を高めた駆動用データまたはその補正値の生成を行なう。
【０００９】
従来の液晶再生装置５１の一例を図１８に示す。画像データ等を蓄積しておく画像データ格納部１１、該画像データの入力が行なわれる画像データ受信部５２、圧縮コンテンツの復号を行うデコード部１５、ＯＳ駆動を行うため比較用に前フレームを一時的に保存するフレームメモリ４、前フレームの同ピクセルでの階調変化量を演算する比較部５３、ＬＵＴを格納している格納部５、液晶表示部１３と映像に応じてこの駆動電圧を供給する駆動部１６から構成されている。図１８では、蓄積型の端末を例に画像データ格納部１１を配したが、有線／無線通信やメモリーカードから取得したコンテンツをデコード部１５に直接入力する機器も存在する。いずれの形態にしても、ＯＳ駆動を行う場合は１ピクセル毎にフレームメモリ４内の前フレームデータとの比較を比較部５３で行い、その変化量を求め、前述のように格納部５のＬＵＴを参照し、その画素の駆動電圧を駆動部１６が決定することで動画応答性を確保している。
【特許文献１】特開平１１−１２６０５０号公報
【特許文献２】特開２００６−１１４６７号公報
【発明の開示】
【発明が解決しようとする課題】
【００１０】
しかしながら、特許文献１及び特許文献２のような従来の技術では、前後の画面の変化量をピクセル毎に比較するための演算処理回路（比較部）やＲＧＢ（Ｒｅｄ、Ｇｒｅｅｎ、Ｂｌｕｅ）の３枚分のフレームメモリ、図１７に示したようなＬＵＴや補間式などを保存する格納部が必要となる。加えてコンテンツの種類、たとえばドラマ、スポーツ、アニメーション、コンピュータグラフィックス等で最適なＯＳ量が異なる場合は、複数のＬＵＴを準備する必要もあり、回路規模が増大するという課題があった。
【００１１】
また、フレーム毎にフレームメモリへの書き込み、読み出し、ＬＵＴの補正値や補間式をもとに最終的な駆動データが決定されることから、回路規模、コスト面での影響もさることながら、消費電流も増大してしまう。地上ディジタル放送やインターネットでの動画配信などの放送サービスの活発な展開に追従するように、携帯情報端末等においても動画視聴が注目されてきており、今後、固定及び移動環境の双方において様々な動画視聴スタイルが出現するものと思われる。このような流れの中で、小型化が可能である薄型平面ディスプレイとしてＬＣＤを採用する比率が極めて高くなっている現在の携帯情報端末では、特に電池寿命という観点から高画質に動画再生を行うことが大きな負担となっており、低消費電力で動画を高画質再生することが望まれている。
【００１２】
本発明の目的は、液晶表示装置でコンテンツを再生するに際し、回路規模、消費電流の何れか、または双方を増加させることなく動画応答性を良くすることのできるコンテンツ変換装置、映像再生装置及びコンテンツ変換方法を提供するものである。
【課題を解決するための手段】
【００１３】
斯かる実情に鑑み、第１の発明によるコンテンツ変換装置は、映像データの圧縮フォーマットに従って復号を行なうデコード部と、前記デコード部からの出力データをフレーム毎に順次一時保存し、処理を行なう現フレームの前フレームを格納するフレームメモリと、映像再生装置の液晶表示部の応答特性を導くための情報を格納した記憶部と、前記フレームメモリ及び前記記憶部を参照して前記現フレームと前記前フレームとの変化量により新たなフレームを変換生成する演算処理部と、前記新たなフレームを符号化して変換コンテンツを生成するエンコード部と、前記変換コンテンツを前記映像再生装置に送信するデータ送受信部とを備えたことを特徴とする。
【００１４】
また、第２の発明によるコンテンツ変換装置は、前記記憶部に格納されている応答特性情報は、前記現フレームと前記前フレームとの透過率の差による駆動用データの表であることを特徴とする。
【００１５】
また、第３の発明によるコンテンツ変換装置は、前記応答特性情報が、前記映像再生装置又は他の端末装置から受信することを特徴とする。
【００１６】
また、第４の発明によるコンテンツ変換装置は、前記映像再生装置からは、該映像再生装置又は前記液晶表示部の識別番号を受信し、該識別番号より他の端末装置から前記応答特性情報を取得することを特徴とする。
【００１７】
また、第５の発明によるコンテンツ変換装置は、前記演算処理部が、前記現フレームが先頭フレーム又は基準フレームであった場合には、比較用フレームを前記フレームメモリに格納するとともに前記エンコード部に出力することを特徴とする。
【００１８】
また、第６の発明によるコンテンツ変換装置は、前記比較用フレームの色が、全表示色範囲の低輝度側の１０％以内であり、前記演算処理部は、該比較用フレームの色からの変移を演算して前記新たなフレームを変換生成することを特徴とする。
【００１９】
また、第７の発明によるコンテンツ変換装置は、前記演算処理部が、前記現フレームが先頭フレーム又は基準フレームであった場合には、該フレームを変換することなく前記フレームメモリに格納するとともに前記エンコード部に出力することを特徴とする。
【００２０】
また、第８の発明によるコンテンツ変換装置は、前記演算処理部が、前記現フレームと前記前フレームとの透過率の差が設定値より大きい場合には、比較用フレーム又は変換しない状態のフレームをフレームメモリに格納するとともに前記エンコード部に出力することを特徴とする。
【００２１】
また、第９の発明による映像再生装置は、コンテンツ変換装置より変換コンテンツを受信するデータ送受信部と、記変換コンテンツをデコードするデコード部と、前記デコード部からの出力を得て液晶表示部を駆動する駆動部と、これらの制御を行う主制御部とを備えたことを特徴とする。
【００２２】
また、第１０の発明による映像再生装置は、前記液晶表示部の応答特性情報又は当該映像再生装置若しくは前記液晶表示部の識別番号を格納する特性情報記憶部を備え、前記主制御部は、前記特性情報記憶部から前記応答特性情報又は前記識別番号を前記コンテンツ変換装置に送信することを特徴とする。
【００２３】
また、第１１の発明による映像再生装置は、前記駆動部が、再生を行うフレームの先頭のみ比較用フレーム又は変換前フレームの再生を行ない、その後の前記比較用フレーム又は前記変換前フレームの再生を行わないことを特徴とする。
【００２４】
また、第１２の発明による映像再生装置は、前記駆動部が、再生を行う比較用フレーム又は変換前フレームを複数フレーム期間連続して表示させた後、後続のフレームを再生することを特徴とする。
【００２５】
また、第１３の発明による映像再生装置は、前記主制御部が、前記変換コンテンツの再生が途中からの場合、変換コンテンツ中の比較用フレーム又は変換前フレームから再生を行なうよう前記駆動部を制御することを特徴とする。
【００２６】
また、第１４の発明による映像再生装置は、前記主制御部が、前記変換コンテンツの処理を行う現フレームが先頭フレーム又は基準フレームであれば、比較用フレーム又はコンテンツ変換前のフレームを再生するよう前記駆動部を制御することを特徴とする。
【００２７】
また、第１５の発明によるコンテンツ変換方法は、ネットワークを介して、コンテンツ変換装置が、映像再生装置に、変換コンテンツを提供するコンテンツ変換方法であって、前記コンテンツ変換装置が、映像データの圧縮フォーマットに従ってデコードを行なうステップと、デコードを行なったデータの現フレームとその前フレームとの透過率の差により新たなフレームを変換生成するステップと、前記新たなフレームのエンコードを行ない、変換コンテンツを生成するステップと、前記変換コンテンツを前記映像再生装置に送信するステップと、前記映像再生装置が、前記変換コンテンツを受信するステップと、前記変換コンテンツに従い、再生を行うステップとを備えたことを特徴とする。
【００２８】
また、第１６の発明によるコンテンツ変換方法は、前記コンテンツ変換装置が、前記新たなフレームを変換生成する際に、前記現フレームが先頭フレーム又は基準フレームであった場合には、比較用フレームを次フレームの比較処理のため一時的にメモリに格納するとともに、エンコードのため出力することを特徴とする。
【００２９】
また、第１７の発明によるコンテンツ変換方法は、前記コンテンツ変換装置が、前記新たなフレームを変換生成する際に、前記現フレームが先頭フレーム又は基準フレームであった場合には、該フレームを変換しないで次フレームの比較処理のため一時的にメモリに格納するとともに、エンコードのため出力することを特徴とする。
【００３０】
また、第１８の発明によるコンテンツ変換方法は、前記コンテンツ変換装置が、前記新たなフレームを変換生成する際に、前記現フレームと前記前フレームとの透過率の差が設定値より大きい場合には、比較用フレーム又は変換しない状態のフレームを次フレームの比較処理のため一時的にメモリに格納するとともに、エンコードのため出力することを特徴とする。
【００３１】
また、第１９の発明によるコンテンツ変換方法は、前記映像再生装置が、前記変換コンテンツを再生する際に、フレームの先頭のみ比較用フレーム又は変換前フレームの再生を行ない、その後の前記比較用フレーム又は前記変換前フレームの再生を行わないことを特徴とする。
【００３２】
また、第２０の発明によるコンテンツ変換方法は、前記映像再生装置が、前記変換コンテンツを再生する際に、再生を行う比較用フレーム又は変換前フレームを複数フレーム期間連続して表示させた後、後続のフレームを再生することを特徴とする。
【００３３】
また、第２１の発明によるコンテンツ変換方法は、前記映像再生装置が、前記変換コンテンツを途中から再生する際に、前記変換コンテンツ中の比較用フレーム又は変換前フレームから再生を行なうことを特徴とする。
【００３４】
また、第２２の発明によるコンテンツ変換方法は、前記映像再生装置が、前記変換コンテンツを再生する際に、前記変換コンテンツの処理を行う現フレームが先頭フレーム又は基準フレームであれば、比較用フレーム又はコンテンツ変換前のフレームを再生することを特徴とする。
【発明の効果】
【００３５】
本発明によれば、コンテンツ変換装置で新たに生成したコンテンツを特定の液晶表示部を持つ映像再生装置専用のＯＳ処理済みコンテンツとし、該映像再生装置に送信することになるので、該映像再生装置はＯＳ処理を行なう必要がなく、回路規模、コストを小さくし、消費電力を低減することができ、動画応答性の高い映像の再生が可能となる。特に何度も繰り返し見るような映像については、非常に効果が大きい。また、同一の液晶表示部を使用する端末装置間で共通に使用可能となり、映像再生装置を製造する業社や販売元が、その端末装置向けのみにコンテンツを提供するなどの応用も考えられる。
【００３６】
また、映像再生装置の液晶表示部についてのデータが、映像再生装置よりコンテンツ転送装置へ提供され、該データが記憶部へ保存されることで、コンテンツ変換装置は、コンテンツを再生する映像再生装置の液晶表示部に最適なコンテンツ変換を行うことができる。
【００３７】
また、映像再生装置からは、該映像再生装置又は該映像再生装置の液晶表示部の型番や製造番号などの識別番号が得られ、コンテンツ変換装置は、該識別番号を基に、他の端末装置から該映像再生装置の液晶表示部のデータを取得することも可能である。
【００３８】
また、コンテンツ変換の際に、予め設定された色のフレームを比較フレームとして先頭フレーム又は途中の基準フレームが現れたときに挿入することにより、フレームの変化の値を安定されることが可能となる。例えば、黒よりの色に対して視聴者の目の感度が鈍いことを利用し、予め設定する色を黒よりの色とすれば好適である。
【００３９】
また、上記の比較フレームの代わりに、変換しない状態のフレームを挿入しても、映像再生装置にて安定した動画応答性のよい再生が可能となる。
すなわち、ＯＳ処理を施したコンテンツは液晶表示部に表示している画像を基準としてその変化量により処理されるため、再生開始時、途中再生時、それまで再生していた画像の影響を受けることになり、基準が不定となってしまう。この結果、意図した色とは全く異なる色を表示してしまうことになる。しかし、元のコンテンツの色の絶対値が途中挿入され、これを基準として再生が開始されるため、映像の乱れ伝搬を早期に収束しやすくなる。
【００４０】
また、再生開始時のみ基準となる比較フレーム又は変換前フレームを再生して、後の比較フレーム又は変換前フレームを再生しないことにより、再生をスムースに開始するとともに、応答性の良い動画再生を可能とする。
【００４１】
また、再生開始時に比較フレーム又は変換前フレームを複数フレーム期間連続して表示させることにより、液晶表示部が完全に初期画像を表示するまでの期間を待って、後続のフレーム再生を行うになり、再生をスムースに開始可能とする。
【００４２】
また、映像再生装置は、再生を停止した場合であっても、比較フレーム又は変換前フレームの挿入位置の情報を保持するので、コンテンツの途中からの再生であっても安定した映像を再生することを可能とする。
【００４３】
また、コンテンツ変換装置で比較フレーム又は変換前フレームを挿入しないで、映像再生装置にて基準フレームか否かの判定を行ない、コンテンツ変換装置との間で規定した比較フレーム又は変換前フレームを再生する構成とすることで、映像再生装置にて安定した映像の再生を行なうことができることに加え、コンテンツ変換装置と映像再生装置との間で送受信が行なわれるデータ量を抑えることができる。
【発明を実施するための最良の形態】
【００４４】
［システム構成］
（システム構成の第１の実施形態）
以下、本発明に係るコンテンツ変換装置を利用した第１の実施形態について図面を用いて説明する。
図１は、本発明に係るコンテンツ変換装置１のブロック図である。
図中、図１８と同一の符号を付した部分は同一物を表わしている。
【００４５】
図１に示すように、映像コンテンツは、デコード部２で復号され、演算処理部３において、フレームメモリ４及びＬＵＴや変換式を記録する格納部５などを参照することにより、ＯＳ処理が行われる。この格納部５にはある特定の液晶パネルについての応答特性が反映されたデータが書き込まれている。
【００４６】
従来の図１８のような装置では、比較部の出力が駆動部へと入力され液晶を駆動して映像を表示するとともにデータは無くなっていた。しかし、本発明においては、再度、エンコード部６においてエンコードすることにより、このデータを再度コンテンツ化する装置を提供する。
【００４７】
フレームメモリ４には、前フレームのデータが格納されている。
格納部５に格納されているＬＵＴのデータや変換式は、そのコンテンツを見るために利用する再生装置の液晶表示部のデータが使用される。該コンテンツ変換装置１の格納部５に複数の再生装置データを保存しておき、その中から選択することも可能であるし、通信回線を介して他の端末装置からデータ送受信部７より取得することや、映像再生装置から直接取得することも可能である。
【００４８】
このような構成にすることで、コンテンツ変換装置で新たに生成したコンテンツを特定の液晶表示部を持つ映像再生装置専用のＯＳ処理済みコンテンツとして扱うことが可能となる。
【００４９】
図２は、前述のコンテンツ変換装置１を組み込んだシステム１０の一例である。図１と同一の符号を付した部分は同一物を表わしている。
【００５０】
例えば、サーバなどの画像データ格納部１１に蓄積された映像コンテンツは、そのまま映像再生装置１２に供給することも出来るし、コンテンツ変換装置１を介して、映像再生装置１２の液晶表示部１３の応答特性に合わせたコンテンツに変換し転送することも出来る。このときコンテンツ変換装置１はサーバ側にあってもよいし、伝送路内の別の装置が有していてもよい。
【００５１】
例えば、映像コンテンツにＯＳ処理を行なう場合、映像再生装置１２から画像データ格納部１１を有しているサーバなどに要求を行い、該映像再生装置１２についてのＬＵＴなどを格納している液晶応答特性を有したコンテンツ変換装置１を中継して、映像再生装置１２に供給するといった実施形態が考えられる。
【００５２】
映像再生装置１２は、コンテンツ変換装置１から変換コンテンツの出力を得るデータ送受信制御部１４、圧縮コンテンツの復号を行うデコード部１５、デコード部１５からの出力を受け、液晶表示部１３と映像に応じて駆動電圧を供給する駆動部１６、これら処理の制御を行う主制御部１７とから構成される。
【００５３】
ここで、コンテンツ変換装置１の格納部５に保存しているＬＵＴや変換式などは、映像再生装置１２の液晶表示部１３についてのデータであるが、映像再生装置１２にこのデータを記憶する特性情報記憶部１８を備え、映像再生装置１２の主制御部１７により特性情報記憶部１８の情報を取得し、格納するとしてもよいが、特性情報記憶部１８からは映像再生装置１２や液晶表示部１３の型番や製造番号などについてのデータを取得し、コンテンツ変換装置１は、これら型番や製造番号の情報から更に別の装置よりこの映像再生装置１２や液晶表示部１３に関するＬＵＴや変換式などの応答特性情報を取得するとしてもよい。
【００５４】
このような構成とすることにより、映像再生装置は、ＯＳ処理済みの変換コンテンツを受信することになるので、ＯＳ処理を行なう必要がなく、消費電力を低減することができ、携帯情報端末等においても動画応答性の高い再生が可能となる。
【００５５】
（システム構成の第２の実施形態）
図３は前述のコンテンツ変換装置１を、コンテンツ転送装置２１に内蔵した実施形態を示している。図１及び図２と同一の符号を付した部分は同一物を表わしている。
【００５６】
コンテンツ転送装置２１は、画像データ格納部１１を有した所謂ハードディスクレコーダやパーソナルコンピュータ（Ｐｅｒｓｏｎａｌ  Ｃｏｍｐｕｔｅｒ、以下「ＰＣ」という）のような機器内にコンテンツ変換装置１が組み込まれた状態を想定している。勿論、コンテンツ転送装置２１は、画像データ格納部１１と切り離して、レコーダやＰＣに接続する単なる外部機器として構成された転送装置とすることも可能であるし、また、転送装置が変換コンテンツを記憶する記録部を持っている応用なども考えられる。
【００５７】
図３に示すコンテンツ転送装置２１は、画像データ格納部１１から出力された映像コンテンツを映像再生装置１２に転送する制御を行う画像データ転送制御部２２、コンテンツ変換装置１より構成されている。
【００５８】
画像データ転送制御部２２は、映像コンテンツをＯＳ処理済みのコンテンツに変換する場合は、コンテンツ変換装置１に映像コンテンツを供給して処理を行い、映像再生装置１２へ転送、あるいは画像データ格納部１１に再度保存し、映像再生装置１２からの要求により転送する制御を行なう。映像再生装置１２側がオリジナルコンテンツ（ＯＳ処理しない映像コンテンツ）を要求すれば、画像データ転送制御部２２は、コンテンツ変換装置１を介さずに映像再生装置１２へ転送する。
【００５９】
映像再生装置１２では、データ送受信制御部１４で受けたコンテンツをデコード部１５へ入力し、その出力により液晶表示部１３を駆動部１６が駆動してコンテンツの再生が行われる。映像再生装置１２に記録部を有し、一時保管しても良い。
コンテンツ転送装置２１と映像再生装置１２間の通信は有線／無線のどちらでもよい。
【００６０】
ところで、映像再生装置１２の液晶表示部１３についてのデータが、主制御部１７により特性情報記憶部１８からデータ送受信制御部１４を介して、コンテンツ転送装置２１へ提供され、該データが画像データ転送制御部２２からコンテンツ変換装置１のデータ送受信部７を介して格納部５へ保存されることで、コンテンツ変換装置１は、再生する映像再生装置１２の液晶表示部１３に最適なコンテンツ変換を行うことができる。
【００６１】
ここで、コンテンツ変換装置１が映像再生装置１２から得られる液晶表示部１３についてのデータとして、格納部５に保存するＬＵＴや変換式などが考えられるが、映像再生装置１２から、映像再生装置１２や液晶表示部１３の型番や製造番号などについてのデータを受信し、コンテンツ変換装置１は、これら型番や製造番号の情報から更に別の装置よりこの液晶表示部１３に関するＬＵＴや変換式などの応答特性情報を取得してもよい。
【００６２】
直接的に又はコンテンツ転送装置２１を介して間接的に映像再生装置１２とコンテンツ変換装置１が接続されているときに、ユーザからのコンテンツ転送の指示が映像再生装置１２からコンテンツ転送装置２１に転送される。そして、上述のようにこの転送指示とともに上記特性情報記憶部１８の情報をコンテンツ転送装置２１へ転送するとしてもよい。コンテンツ転送装置２１は、この情報を用いてコンテンツの変換を行い、映像再生装置１２へ映像の転送を行う。転送指示のためのデータ量は限られているが、コンテンツのデータ量は比較的大きくなることから、コンテンツ変換装置１は、コンテンツ変換の作業のみを転送指示データ受信後に開始し、事前にコンテンツ変換のみを実施しておき、転送は安価で確実な回線、たとえば有線による接続が確立されたときに行うことも可能である。このようにすることで転送時間の短縮も期待できる。
【００６３】
また、電子番組表（いわゆるＥＰＧ、Ｅｌｅｃｔｒｏｎｉｃ  Ｐｒｏｇｒａｍ  Ｇｕｉｄｅ）などにより事前にコンテンツ情報を確認し映像再生装置１２で予約をする場合においては、映像再生装置１２は、画像データ格納部１１にコンテンツが格納される前に、予約が完了した時点で、前記転送指示データとともに上記特性情報記憶部１８の情報をコンテンツ転送装置２１へ転送しておき、予約時間となりコンテンツが格納された時点で変換を実施し、上記同様に映像再生装置１２への転送を行うことも可能である。
【００６４】
（システム構成の第３の実施形態）
図４は、有線／無線通信などの通信により映像データを受信する代わりに記憶媒体３１を介してコンテンツをやり取りする実施形態を示している。図１から図３と同一の符号を付した部分は同一物を表わしている。
【００６５】
本実施形態において、コンテンツ転送装置２１の画像データ転送制御部２２は、コンテンツ転送装置２１に備えるユーザーインターフェース部３２からの指示により、画像データ格納部１１に記憶しているコンテンツの中から特定のコンテンツを抽出し、記憶媒体３１に書き込む処理を行なう。その際に、映像再生装置１２の主制御部１７からデータ送受信制御部１４を介してＯＳ処理を実施する要求があった場合には、画像データ転送制御部２２は、コンテンツ変換装置１へコンテンツを転送しＯＳ処理を実施した後、記録媒体３１への書き込みを行う。
【００６６】
また、複数の映像再生装置１２が使用可能で、例えば、ユーザが使用する映像再生装置１２をユーザーインターフェース部３２から指定することで、コンテンツ変換装置１は映像再生装置１２の液晶表示部１３の応答特性の情報を他の装置から取得したり、予め格納部５に格納された情報から読み込んだりすることで、演算処理部３にてＯＳ処理を行なうことができ、映像再生装置１２で動画応答性の良い映像再生を可能とすることができる。
【００６７】
［コンテンツデータと液晶表示部の特性情報の流れ］
図５と図６は、コンテンツデータと映像再生装置１２に搭載された液晶表示部１３についてのＬＵＴや変換式等の特性情報のやり取りを説明するための図である。
図５に示すように、太い矢印がコンテンツデータであり、コンテンツデータは、画像データ格納部１１からコンテンツ転送装置２１を介して映像再生装置１２へ転送される。コンテンツ転送装置２１は上述したものであり、コンテンツデータにＯＳ駆動処理を行っている。映像再生装置１２の液晶表示部１３についての情報は細い矢印で示されており、映像再生装置１２の特性情報記憶部１８に記録されているものを読み出して、コンテンツ転送装置２１内のコンテンツ変換装置１の格納部５にＬＵＴや変換式が書き込まれる等により、コンテンツ変化装置１の演算処理部３にてのＯＳ駆動電圧を導く演算に使用される。
【００６８】
図６の実施形態は、コンテンツ転送装置２１は、映像再生装置１２から映像再生装置１２や液晶表示部１３の型番や製造番号などの識別情報を取得して、その識別情報により、該識別情報に合致する端末データ格納装置４１にあるＬＵＴ、変換式などの特性情報を取得するものである。
【００６９】
この他にも、コンテンツ転送装置２１がユーザ側にある際には映像再生装置１２を特定できることから、その映像再生装置１２の特性情報をインターネットで取得する方法や、映像再生装置１２のメーカが映像再生装置１２とともに記録媒体で提供する方法等も考えられる。
【００７０】
［コンテンツ変換処理］
（コンテンツ変換処理の第１の実施形態）
図７は、本発明におけるコンテンツの変換の様子を示した図である。
【００７１】
図７に示すように、先頭フレームＦ１の前に全階調範囲の低輝度側の１０％以内つまり「黒」もしくは「グレー」の均一な比較用フレームＢを挿入することで、先頭フレームＦ１との比較を行い、変換コンテンツの先頭フレームＦＦ１を生成している。
【００７２】
再生開始時に液晶表示部１３がどの様な映像を表示しているかはコンテンツの変換時には不明であることから、一旦本比較用フレームＢによりリセットを行うことで、ＯＳ駆動が正常に反映されることとなる。本図中ではエンコード／デコードの過程は示していない。
【００７３】
転送時に比較用フレームＢを先頭にして、エンコードすることで映像再生装置１２側ではそのまま液晶を駆動できる。また、前述の比較用フレームＢを付けずにエンコードしたとしても、ＯＳ処理済みコンテンツであることを映像再生装置１２に通知することで、映像再生装置１２側で自動的に予め決められた比較用フレームＢを表示後に該ＯＳ処理済みコンテンツの再生を開始することで、正常な表示が可能となる。この図７及び後続の図において、理解しやすいように比較用フレームＢを挿入している様子を表しているが、実際に必ずしも挿入する必要は無く、演算処理だけで対応することも可能である。
【００７４】
以上のように、黒よりの色に対して視聴者の目の感度が鈍いことを利用して、液晶の応答特性とのトレードオフから予め色を設定することにより、応答性の高い安定した映像を得ることが可能となる。
【００７５】
（コンテンツ変換処理の第２の実施形態）
図８は、コンテンツ変換の別の実施形態を示した図である。
【００７６】
本実施形態では、図８に示すように、ＯＳ処理前の先頭フレームＦ１の１枚以上のコピーを、ＯＳ処理後の変換コンテンツの先頭フレームＦＦ１の前に配した上でエンコードする方法でコンテンツを生成する。これにより、前記同様に再生後速やかな映像の安定が確保される。
【００７７】
ここで、１枚のコピーＦ１のみを付加してエンコードし、前述と同様に映像再生装置１２側でそのコピーＦ１を連続的に１回以上表示した後に、それ以降は、変換後のフレームＦＦ１とそれに続く変換後フレームの連続的な再生を開始するとしてもよい。
【００７８】
（コンテンツ変換処理の第３の実施形態）
図９はＯＳ処理済みコンテンツを途中再生する際の、問題点を解決する実施形態について説明するための図である。
【００７９】
ＯＳ処理されたコンテンツは前後のフレーム間の差分を示すものとなっている。これを途中再生する場合は、再生先頭の比較フレームＢが映像再生装置１２に表示されず、意図しない色の映像が表示されることになる。すなわち、図１７の説明で述べたように階調を「５０」にするにも、前の階調によっては「５」から「１５０」までを取ることになり、本来の比較フレームＢが表示されていない場合は、全く意図していない色に遷移することになる。動きの激しいコンテンツにおいては、この映像の乱れが複数のフレームで伝搬することが予測される。
【００８０】
しかし、図９に図示したように、オリジナルのコンテンツ上の参照画像（ＭＰＥＧ（Ｍｏｖｉｎｇ  Ｐｉｃｔｕｒｅ  Ｅｘｐｅｒｔｓ  Ｇｒｏｕｐ）のイントラフレーム）のコピーのフレーム（Ｆ５又はＦ１０）をＯＳ処理後のコンテンツ中に挿入した上でエンコードを行う。このコピーをエンコードの際の参照画像とし、再生側では、通常はこの挿入されたコピーのフレームは表示装置へ転送せず、破棄する。途中再生時のみ、その近くのコピーを再生した後にその後のフレームの再生を行う。もちろん、その後に現れるコピーを再生する必要はない。
【００８１】
例えば、図９においては、Ｆ５は先頭のフレームから再生されているので再生装置においては表示されない。しかし、再生が中断され、Ｆ１０のコピーのフレームは再生が行われたことを示している。
【００８２】
このように、元のコンテンツの色の絶対値が途中挿入されているので、再生が中断された場合においても、映像の乱れ伝搬を早期に収束しやすくなる。
【００８３】
また、図９のようなオリジナルコンテンツからのコピーのフレーム（図中Ｆ５およびＦ１０）を利用して、別の課題を解決することもできる。
例えば、映像再生装置１２の駆動部１６で前後フレーム間の変化量の平均値をモニターし、基準値を超えるような動きが激しい時間帯にはＯＳ駆動の誤差が増加することが考えられる。これはコンテンツ変換装置１側での処理でも同様であるが、このように動きが激しいと判断されるときは、挿入したコピー・フレームを破棄せずに再生することで誤差を抑えることが可能になる。
【００８４】
［コンテンツ転送装置の処理］
（コンテンツ転送装置の処理の第１の実施形態）
図１０は、コンテンツ転送装置２１の動作を示したフローチャートである。
【００８５】
コンテンツ転送装置２１の画像データ転送制御部２２は、映像コンテンツを転送する際に、Ｓ１０１で、例えば、映像再生装置１２からの要求があるか否かによって、ＯＳ処理を実施するか否かの判定を行なう。ＯＳ処理を実施しない場合は、Ｓ１０５へと進む。ＯＳ処理を実施する場合は、コンテンツ変換装置１により、Ｓ１０２においてデコード、Ｓ１０３においてコンテンツ変換、Ｓ１０４においてエンコード行い、画像データ転送制御部２２は、Ｓ１０５で映像再生装置１２に変換コンテンツの転送を行なう。
【００８６】
Ｓ１０１において、コンテンツ変換を行うか否かの判定は、映像再生装置１２の液晶表示部１３の応答特性に関する情報を、コンテンツ転送装置２１内のコンテンツ変換装置１の格納部５が保有しているか、または映像再生装置１２から、映像再生装置１２や液晶表示部１３の型番や製造番号などの識別情報を入手可能かによって決定されてもよい。勿論、映像再生装置１２が、コンテンツ変換の要否を決定して、コンテンツ転送装置２１にコンテンツ変換要否についてのメッセージを送信するとしてもよい。
【００８７】
図１０のＳ１０３のコンテンツ変換について、図８の実施形態における詳細な手順を図１１のフローチャートに示す。
【００８８】
Ｓ２０１の初期化により、コンテンツ変換装置１の演算処理部３が処理を行なうプログラムにおいて、変数ｎ、ｍを「ｎ＝０、ｍ＝０」（ｎは、再生を行おうとするフレームの順序を格納した配列の添字、ｍは、比較用フレームを挿入したか否か、すなわち、ｍ＝０であれば比較用フレームを挿入していない状態を、ｍ＝１であれば比較用フレームを挿入済であることを表す。）とする。
【００８９】
Ｓ２０２において、コンテンツ変換装置１の演算処理部３は、Ｆ（ｎ）フレームを読み込む。（Ｆ（ｎ）は、フレームの順序を格納した配列を表し、Ｆ（ｎ）フレームには、ＯＳ処理前のＦ（ｎ）番目のフレームのデータが格納されている。）
【００９０】
Ｓ２０３で演算処理部３は、「ｎ＝０」であるか否か、すなわち、先頭フレームから再生を行おうとしているのかを判断し、「０」でなければ、Ｓ２０４でフレームメモリ４内のフレーム（Ｆ（ｎ）フレームの１つ前のフレーム）とＦ（ｎ）フレームとの透過率の変化量の差分を求め、ＯＳ演算を実施し新たな変換コンテンツのフレームを生成する。
【００９１】
次にＳ２０５で、演算処理部３は、フレームメモリ４内のフレームからＦ（ｎ）フレームへの変化量が規定値を越えているか否かの判定を行う。ここでの規定値とは、例えば変化したピクセルの数がフレーム全体に占める割合などで定義したものを用いる。
【００９２】
演算処理部３において、これが規定値を超えたと判定された場合、又はＳ２０３で「ｎ＝０」と判定された場合は、Ｓ２０８で「ｍ＝０」であるか否かを判定する。ｍ＝０であればＳ２０９において、全階調の黒側の１０％以内つまり「黒」又は「グレー」の均一な比較用フレーム（以下、「Ｂフレーム」という）をフレームメモリ４に書き込むとともにエンコーダ部６へと出力する。
【００９３】
その後、Ｓ２１０で「ｍ＝１」として、Ｂフレーム挿入済とする。一方Ｓ２０５で規定値を超えていない場合は、Ｓ２０６でＦ（ｎ）フレームをフレームメモリ４に書き込むとともに、Ｓ２０４で生成した新たなＦＦ（ｎ）フレーム（ＦＦ（ｎ）フレームには、ＯＳ処理後の変換コンテンツデータであるＦＦ（ｎ）番目のフレームのデータが格納されている。）をエンコーダ部６に出力する。次のＳ２０７では、ｎ＝ｎ＋１、ｍ＝０として、次のフレームの処理にすすむ。Ｓ２１１で、演算処理部３は、コンテンツの終わりか否かを判定し、コンテンツの終わりなら処理を終了、コンテンツの終わりでなければＳ２０２からの処理を繰り返す。なお、Ｓ２０９においてＢフレームをエンコーダ部６に出力せず、映像再生装置１２側で再生時にＢフレームを挿入するとしてもよい。
【００９４】
このことにより、ＯＳ処理を行なうのが、映像コンテンツの先頭である場合、又は前フレームとの変化量が規定値を超えるほど大きい時に、Ｂフレームを挿入することにより、安定した映像を得ることが可能となる。
【００９５】
（コンテンツ転送装置の処理の第２の実施形態）
図１０のＳ１０３のコンテンツ変換について、図８及び図９の実施形態における詳細な手順を図１２のフローチャートに示す。
【００９６】
Ｓ３０１において「ｎ＝１」として初期化を行なう。
Ｓ３０２で、コンテンツ変換装置１の演算処理部３は、Ｆ（ｎ）フレームの読み込みを行ない、Ｓ３０３では基準フレームか否かの判定を行う。この基準フレームについては、例えば、ＭＰＥＧなどのイントラピクチャやグループオブピクチャの先頭ピクチャなどとすることが考えられる。
【００９７】
演算処理部３が基準フレームであると判定した場合は、Ｓ３０４において、Ｆ（ｎ）フレームをエンコード部６へ出力し、Ｓ３０５で「ｎ＝１」であるか否かを判断する。「ｎ＝１」でない、すなわち、先頭フレームでない場合、およびＳ３０３で基準フレームでないと判定されたときには、Ｓ３０６で、演算処理部３は、Ｆ（ｎ）フレームとフレームメモリ４内のフレームとの差分を求め、ＯＳ演算を実施し新たなＦＦ（ｎ）フレームを生成する。そして、Ｓ３０７で演算処理部３は、ＦＦ（ｎ）フレームをエンコード部６へ出力する。
【００９８】
その後、演算処理部３は、Ｓ３０８でＦ（ｎ）フレームをフレームメモリ４へ書き込む。この処理はＳ３０５で「ｎ＝１」と判断されたときも同様に実施される。Ｓ３０９で、演算処理部３は、コンテンツの最後まで処理したか否かの判定を行ない、コンテンツの最後である場合は処理を終了、コンテンツの最後でない場合は、Ｓ３１０でｎ＝ｎ＋１としてｎの加算を行い、次のフレームの処理を行なうため、Ｓ３０２からの処理に戻り、処理を繰り返す。
【００９９】
このように、基準フレームか否かの判定によりコピー・フレームを挿入する処理が行なわれ、映像再生装置にて安定した動画応答性のよい再生が可能となるコンテンツの提供を行なうことができる。
【０１００】
［映像再生装置の処理］
図１３は、上述のようにコンテンツ変換装置１によって変換されたコンテンツを映像再生装置１２で再生する処理の手順を示したフローチャートである。
【０１０１】
図１３に示すように、映像再生装置１２の主制御部１７が処理を行なうプログラムにおいて、Ｓ４０１で、変数ｎ、ｉを「ｎ＝１、ｉ＝１」（ｎは、再生を行おうとするフレームの順序を格納した配列の添字であり、ｎ＝１は先頭フレームを表す。ｉ＝０は、映像再生装置１２で映像の再生中の状態を表し、ｉ＝１は、再生していない状態を表す。）として初期化を行なう。
【０１０２】
Ｓ４０２で、映像再生装置１２の主制御部１７は、データ送受信制御部１４にコンテンツ転送装置２１から再生開始の指示信号が届いたか否かを監視し、待ち状態となっている。この間、Ｓ４０３で電源ＯＦＦの指示があれば終了する。
【０１０３】
ここで、主制御部１７は、コンテンツ転送装置２１からの再生の指示信号がありとの判定を行なうと、Ｓ４０４で、前記再生の指示信号に再生を開始するポイントの指定があるか否かの判定を行ない、再生開始するポイントの指定があれば、Ｓ４０５において再生開始の指定ポイントを変数「ｎ」に入力する。
【０１０４】
Ｓ４０６で、デコード部１５は、Ｆ（ｎ）からのデコードを開始し、Ｓ４０７で、「ｉ＝０」として、液晶表示部１３に駆動部１６が駆動電圧を供給し、映像の再生処理を開始し、停止信号の受信またはコンテンツが終了するまで再生を行なう。
【０１０５】
主制御部１７は、再生停止の指示信号を受信した場合や受信したコンテンツの終了を確認すると、次のＳ４０８にすすむ。Ｓ４０８で、主制御部１７は、停止であるかコンテンツの終了であるかの判定を行なう。停止であった場合は、Ｓ４０９において、「ｉ＝１」とし、停止したときのｎを取得して保持する。この時のｎは、停止信号を受けてから、ＦＦ（ｎ）フレームに挿入された最初のＦ（ｎ）フレームとなる箇所とする。コンテンツの終了であった場合は、Ｓ４０１の処理に戻り、ｎとｉを初期化して、Ｓ４０２の待ち状態に戻る。
【０１０６】
ここで、上記の説明では、映像再生装置１２は、コンテンツ転送装置２１からの再生開始信号、停止信号により再生を開始・停止すると説明したが、映像再生装置に、受信した変換コンテンツをデコードして記憶する記憶部（不図示）を備え、映像再生装置１２に備えるユーザインターフェイス（不図示）から再生の開始、停止の指示信号を受け、主制御部１７が再生の開始・停止を行なうとしてもよい。
【０１０７】
このような処理を行なうことで、映像再生装置１２は、再生が停止された場合であっても、オリジナルコンテンツのコピー・フレームの箇所を保持し、コンテンツの途中からの再生であっても安定した映像を再生することを可能とする。
【０１０８】
［映像再生装置の処理の詳細］
（映像再生装置の処理の詳細の第１の実施形態）
図１４は図１３のＳ４０７の再生処理の別の実施形態における詳細である。
【０１０９】
これは図７にて説明したコンテンツ変換方法においてコンテンツ転送装置２１側でＢフレームを挿入しないでコンテンツを転送し、映像再生装置１２側でＢフレームを挿入する場合における処理の手順を示したフローチャートである。
【０１１０】
Ｓ５０１で、映像再生装置１２の主制御部１７は、受信したデータがコンテンツ変換（ＯＳ処理）されているか否かの判定を行ない、コンテンツ変換されていなければＳ５０５で通常コンテンツとして再生を行ない、Ｓ５０６にて「ｎ＝ｎ＋１」が実行され、次のフレームの処理にすすむ。コンテンツ変換されていると判定した場合は、Ｓ５０２で、主制御部１７は、基準フレームか否かの判定を行う。
【０１１１】
基準フレームと判定されれば、Ｓ５０３にて、主制御部１７の制御により駆動部１６は記憶部（不図示）に予め記憶しているＢフレームを取得して表示する。
【０１１２】
続いて、Ｓ５０４では、ＦＦ（ｎ）フレームを再生し、Ｓ５０６で、「ｎ＝ｎ＋１」が実行され、次のフレームの処理にすすむ。Ｓ５０７において、主制御部１７は、コンテンツの再生停止信号を受信したか、又はコンテンツの終了であるかの判定を行い、停止又は終了であった場合は、処理を終了する。停止又は終了でない場合は、Ｓ５０１に戻り、Ｓ５０１からＳ５０６までの処理を繰り返す。
【０１１３】
このように、映像再生装置にて基準フレームか否かの判定を行ない、Ｂフレームを挿入する構成とすることで、映像再生装置にて安定した映像の再生を行なうことができることに加え、コンテンツ転送装置と映像再生装置との間で送受信が行なわれるデータ量を抑えることができる。
【０１１４】
（映像再生装置の処理の詳細の第２の実施形態）
図１５も図１３のＳ４０７の再生処理の詳細の別の実施形態である。これは図８で示したコンテンツ変換方法においてコンテンツ転送装置２１側でコピー・フレームを挿入しないでコンテンツを転送し、映像再生装置１２側でコピー・フレームを挿入する処理の手順を示したフローチャートである。
【０１１５】
Ｓ６０１で、主制御部１７は、コンテンツ変換（ＯＳ処理）されているか否かの判定を行なう。コンテンツ変換されていなければＳ６０５にすすみ、通常コンテンツとして再生を行い、Ｓ６０６にて、「ｎ＝ｎ＋１」を実行し、次のフレーム処理にすすむ。コンテンツ変換されていると判定した場合は、Ｓ６０２で、主制御部１７は、「ｉ＝１」か、否かの判定を行なう。「１」でない（再生中である）場合は、Ｓ６０４で、駆動部１６は、ＦＦ（ｎ）フレームについての再生を行なう。「１」（再生中でない）の場合、駆動部１６は、ＦＦ（ｎ）フレームを再生の前に、Ｓ６０３で、Ｆ（ｎ）フレームを再生する。
【０１１６】
ここで、Ｆ（ｎ）フレーム（コピーフレーム）は、フレーム毎に属性を示す識別子を付加して、コンテンツ転送装置２１からＯＳ処理後のデータとともに転送されているものとする。コピーフレームを再生する場合、駆動部１６は、転送されているフレームの識別子を認識し、該当するコピーフレームを再生することになる。
【０１１７】
続いて、Ｓ６０４では、駆動部１６は、ＦＦ（ｎ）フレームの再生を行ない、Ｓ６０６で、「ｎ＝ｎ＋１」が実行され、次のフレームの処理にすすむ。Ｓ６０７において、主制御部１７は、コンテンツの再生停止信号を受信したか、又はコンテンツの終了であるかの判定を行い、停止又は終了であった場合は、処理を終了する。停止又は終了でない場合は、Ｓ６０１に戻り、Ｓ６０１からＳ６０６までの処理を繰り返す。
【０１１８】
このように、映像再生装置にて先頭フレームか否かの判定を行ない、コピー・フレームを挿入する構成とすることで、映像再生装置にて安定した映像の再生を行なうことができることに加え、コンテンツ転送装置と映像再生装置との間で送受信が行なわれるデータ量を抑えることができる。
【０１１９】
尚、本発明のコンテンツ変換装置、映像再生装置及びコンテンツ変換方法は、上述の図示例にのみ限定されるものではなく、本発明の要旨を逸脱しない範囲内において種々変更を加え得ることは勿論である。
【図面の簡単な説明】
【０１２０】
【図１】本発明におけるコンテンツ変換装置のブロック図である。
【図２】本発明におけるコンテンツ変換装置を含むシステム例を示した図である。
【図３】本発明におけるコンテンツ転送装置を含むシステム例を示した図である。
【図４】本発明におけるコンテンツ転送装置を含むシステム例を示した図である。
【図５】本発明における液晶表示部の応答特性情報をコンテンツ変換装置へ転送する流れを示した図である。
【図６】本発明における液晶表示部の応答特性情報をコンテンツ変換装置へ転送する流れを示した図である。
【図７】本発明におけるコンテンツの変換方法と再生方法について示した図である。
【図８】本発明におけるコンテンツの変換方法と再生方法について示した図である。
【図９】本発明におけるコンテンツの変換方法と途中再生方法について示した図である。
【図１０】本発明におけるコンテンツ転送装置の動作を示したフローチャートである。
【図１１】本発明におけるコンテンツ変換についての処理の手順を示したフローチャートである。
【図１２】本発明におけるコンテンツ変換についての処理の手順を示したフローチャートである。
【図１３】本発明における映像再生装置で変換コンテンツを再生する処理の手順を示したフローチャートである。
【図１４】本発明における映像再生装置で変換コンテンツを再生する処理の手順を示したフローチャートである。
【図１５】本発明における映像再生装置で変換コンテンツを再生する処理の手順を示したフローチャートである。
【図１６】ＯＳ駆動による液晶応答速度の改善について概念図として示したものである。
【図１７】液晶映像装置の応答特性情報であるルックアップテーブル（ＬＵＴ）の一例を示した図である。
【図１８】従来技術における映像再生装置のブロック図である。
【符号の説明】
【０１２１】
１  コンテンツ変換装置
２  デコード部
３  演算処理部
４  フレームメモリ
５  格納部
６  エンコード部
７  データ送受信部
１０  コンテンツ変換装置を組み込んだシステム
１１  画像データ格納部
１２、５１  映像再生装置
１３  液晶表示部
１４  データ送受信制御部
１５  デコード部
１６  駆動部
１７  主制御部
１８  特性情報記憶部
２１  コンテンツ転送装置
２２  画像データ転送制御部
３１  記憶媒体
３２  ユーザインターフェイス部
４１  端末データ格納装置
５２  画像データ受信部
【図１】
2008209607.tif 000003
【図２】
2008209607.tif 000004
【図３】
2008209607.tif 000005
【図４】
2008209607.tif 000006
【図５】
2008209607.tif 000007
【図６】
2008209607.tif 000008
【図７】
2008209607.tif 000009
【図８】
2008209607.tif 000010
【図９】
2008209607.tif 000011
【図１０】
2008209607.tif 000012
【図１１】
2008209607.tif 000013
【図１２】
2008209607.tif 000014
【図１３】
2008209607.tif 000015
【図１４】
2008209607.tif 000016
【図１５】
2008209607.tif 000017
【図１６】
2008209607.tif 000018
【図１７】
2008209607.tif 000019
【図１８】
2008209607.tif 000020